(57)【要約】    【課題】  携帯型撮像装置において明るい色の外観でありながら十分な遮光性を備え、部品数を少なくして、組立の時間や労力を低減させる。    【解決手段】  バーコード読取装置１０は、筐体ケース２０の内側部材２２i、２４iが黒色等の遮光性の高い樹脂材料からなるため、筐体ケース２０自体に遮光性を持たせることができる。このため、筐体ケース２０内に遮光部材を設ける必要が無くなり、構造を簡略化できると共に、部品数が少なくなり、組立の時間や労力を低減させることができる。また、外側部材２２o、２４oにアイボリー等の明るい色合いを用いることでデザイン性を高めながら、十分な遮光性を備える筐体ケース２０を実現できる。【選択図】  図１
2007109046.tif 000002
【特許請求の範囲】
【請求項１】
結像光学系と、受光素子と、制御回路が実装された回路基板とを筐体ケースに収容してなる携帯型撮像装置であって、
前記筐体ケースが、遮光性樹脂材料を用い成形型によって成形され、前記結像光学系及び前記受光素子への外来光の入射に対して遮光する内側部材と、
前記内側部材の外側に２重成形法によって、当該内側部材と一体に成型された外側部材とからなることを特徴とする携帯型撮像装置。
【請求項２】
前記外側部材は、前記内側部材よりも遮光性の低い樹脂材料からなることを特徴とする請求項１の携帯型撮像装置。
【請求項３】
前記内側部材と共に光学絞りを一体成型してなる請求項１又は請求項２の携帯型撮像装置。
【請求項４】
前記内側部材は、前記外側部材のほぼ全内面に設けられていることを特徴とする請求項１〜請求項３のいずれか１の携帯型撮像装置。
【請求項５】
前記内側部材は、前記外側部材の一部内面に設けられ、前記回路基板と組み合わせることにより前記結像光学系及び前記受光素子への外来光の入射に対して遮光することを特徴とする請求項１〜請求項３のいずれか１の携帯型撮像装置。
【請求項６】
前記内側部材の一部を、前記筐体ケースの表面に露出させたことを特徴とする請求項１〜請求項５のいずれか１の携帯型撮像装置。
【発明の詳細な説明】
【技術分野】
【０００１】
本発明は、バーコードへ照射した光の反射光によりバーコードの画像を読み取るバーコード読取装置やディジタルカメラ付き携帯電話機等の携帯型撮像装置に関するものである。
【背景技術】
【０００２】
商品などに付着されているバーコードに、発光ダイオード等の照明光源からの照明光を照射し、結像光学系で反射光を結像させ、受光素子で上記バーコードの画像を読み取るバーコード読取装置が知られている。このようなバーコード読取装置は、清潔な印象を与えるアイボリー等の白色系の明るい色が好まれる。
【０００３】
ここで、バーコード読取装置の外色を白色系にするため筐体ケースを白色系樹脂で成形すると、外来光が筐体ケースを透過して、結像光学系、受光素子に入射しバーコードの画像を読み取れなくことがある。このため、白色系の筐体ケースを用いる際には、結像光学系、受光素子を遮光する遮光部材を別途必要となっていた。特許文献１には、結像光学系の組み付けを容易にするため、結像光学系レンズ、ミラーを保持する保持部材を用いるバーコード読取装置が開示されている。係るバーコード読取装置では、一般的に、該保持部材に遮光板としての役割を持たせている。
【特許文献１】特開平７−３３４５９９号公報
【発明の開示】
【発明が解決しようとする課題】
【０００４】
しかしながら、係るバーコード読取装置では、遮光板、遮光部材を筐体ケース内に取り付けるため、組立には多くの時間や労力を必要とした。このため、少しでも部品点数を少なくして組立にかかる時間や労力を削減することが望まれている。
【０００５】
光学絞り等の結像光学系は、光学的な精密性を維持して取り付けるため、特に組み立てに時間や労力を必要とした。
【０００６】
本発明は、上述した課題を解決するためになされたものであり、その目的とするところは、携帯型撮像装置において明るい色の外観でありながら十分な遮光性をもち、部品数を少なくして、組立の時間や労力を低減させることにある。
【課題を解決するための手段】
【０００７】
上記目的を達成するため請求項１の発明は、結像光学系３４、３０と、受光素子３６と、制御回路４４が実装された回路基板３８とを筐体ケース２０に収容してなる携帯型撮像装置１０であって、
前記筐体ケース２０が、遮光性樹脂材料を用い成形型によって成形され、前記結像光学系３４、３０及び前記受光素子３６への外来光の入射に対して遮光する内側部材２２i、２４iと、
前記内側部材２２i、２４iの外側に２重成形法によって、当該内側部材２２i、２４iと一体に成型された外側部材２２o、２４oとからなることを技術的特徴とする。
【発明の効果】
【０００８】
請求項１では、筐体ケース２０の内側部材２２i、２４iが遮光性の高い遮光性樹脂材料からなるため、筐体ケース２０自体に遮光性を持たせることができる。このため、携帯型撮像装置１０の筐体ケース２０内に遮光部材を設ける必要が無くなり、構造を簡略化できると共に、部品数が少なくなって、携帯型撮像装置１０の組立の時間や労力を低減させることができる。また、外側部材２２o、２４oに明るい色合いを用いることでデザイン性を高めながら、十分な遮光性を備える筐体ケース２０を実現できる。
【０００９】
請求項２では、外側部材２２o、２４oが内側部材２２i、２４iよりも遮光性の低い樹脂材料からなり、即ち、外側部材２２o、２４oの樹脂材料の選択に制限がないため、携帯型撮像装置１０の外色を自由に選択できる。
【００１０】
請求項３では、内側部材２２i、２４iと共に光学絞り３４を一体成型するため、光学絞りを別途設ける必要が無くなり、構造を簡略化できると共に、部品数が少なくなり、光学絞り３４の組み付けの時間や労力を低減させることができる。
【００１１】
請求項４では、内側部材２２i、２４iが外側部材２２o、２４oのほぼ全内面に設けられているため、結像光学系３４、３０及び受光素子３６を確実に遮光することができる。
【００１２】
請求項５では、内側部材２２iは外側部材２２oの一部内面に設けられ、回路基板３８と共に結像光学系３４、３０及び受光素子３６を遮光するため、内部部材の製造コストを低減することができる。
【００１３】
請求項６では、内側部材２２iの一部を筐体ケース２０の表面に露出させることで、２色を組み合わせた外観にできるため、廉価にデザイン性の高い筐体ケース２０を実現できる。
【発明を実施するための最良の形態】
【００１４】
[第１実施形態]
本発明の第１実施形態について、図に基づいて説明する。図１は本発明の携帯型撮像装置の構成を適用したバーコード読取装置の断面図である。
バーコード読取装置１０は、筐体ケース２０、読取部１４、および、データ処理出力部１６を備えている。筐体ケース２０の後方部は操作者が手で握るための把持部１８が形成されている。筐体ケース２０は、上ケース２２と下ケース２４とからなり、上ケース２２と下ケース２４との間に基板３８を挟持している。筐体ケース２０の前方部の下部には、左右（図１では紙面に垂直方向）に長い、すなわち幅方向に長い読取口１２が設けられている。
【００１５】
読取部１４は、照射用赤色発光ダイオード４０、第１反射鏡３２ｆ、光学絞り３４、結像レンズ３０、第２反射鏡３２ｓおよび光学的センサ（受光素子）３６を備えてなる。第１反射鏡３２ｆ、光学絞り３４、結像レンズ３０、第２反射鏡３２ｓは、結像光学系を構成する。照射用赤色発光ダイオード４０からの光は、筐体ケース２０外部のバーコード８０へ照射される。基板３８には反射光を通すための開口３８ａが設けられている。バーコード８０により反射された赤色光は、再度、筐体ケース２０内に入り、基板３８の開口３８ａを通り、第１反射鏡３２ｆで反射されて、光学絞り３４を通り、結像レンズ３０へ入射し、第２反射鏡３２ｓで反射され、受光素子がリニアに１列配列された光学的センサ３６にバーコード８０の像を結像させる。このバーコード８０の像を光電変換して読み取った光学的センサ３６は、像のパターンを表す電気信号としてデータ処理出力部１６側に出力する。
【００１６】
筐体ケース２０内部のデータ処理出力部１６には、基板３８上に配置された波形整形部５０、メモリ４２、マイクロコンピュータ（制御回路）４４、およびレジスタやホストコンピュータ等の本体装置への出力回路４６が備えられている。データ処理出力部１６は、読取部１４の光学的センサ３６からバーコード８０の読み取りデータを、波形整形部５０を介して入力すると、マイクロコンピュータ４４の処理により、そのデータをデコード（解読）して、バーコード８０が表している情報を得、その情報をメモリ４２に一旦記憶する。次に、このメモリ４２内に記憶された情報を出力回路４６により、所定タイミングで、光や電波による無線通信あるいは有線通信で本体装置へ送信する。
【００１７】
第１実施形態の筐体ケース２０を構成する上ケース２２、下ケース２４は、それぞれ遮光性に優れる黒色樹脂からなる内側部材２２ｉ、２４ｉと、遮光性の低いアイボリー色樹脂からなる外側部材２２ｏ、２４ｏとから構成される。該上ケース２２、下ケース２４は、内側部材２２ｉ、２４ｉと外側部材２２ｏ、２４ｏとを２重成型法により成型して成る。上ケース２２の内側部材２２ｉは、更に、光学絞り３４が一体成型されている。
【００１８】
即ち、内側部材２２ｉ及び光学絞り３４形成用の上型、下型の間に黒色樹脂を射出することで、一体に内側部材２２ｉ及び光学絞り３４を形成する。引き続き、下型をそのままに、上型を外側部材２２ｏ用の上型に代え、アイボリー色樹脂を射出することにより、内側部材２２ｉ上に外側部材２２ｏを一体に成型することで、上ケース２２は形成される。
【００１９】
第１実施形態のバーコード読取装置１０は、筐体ケース２０の内側部材２２i、２４iが黒色系遮光性の高い樹脂材料からなるため、筐体ケース２０自体に遮光性を持たせることができる。このため、筐体ケース２０内に遮光部材を設ける必要が無くなり、構造を簡略化できると共に、部品数が少なくなり、組立の時間や労力を低減させることができる。また、外側部材２２o、２４oにアイボリー等の明るい色合いを用いることでデザイン性を高めながら、同時に遮光性を備える筐体ケース２０を実現できる。即ち、外側部材２２o、２４oが内側部材２２i、２４iよりも遮光性の低い樹脂材料からなり、即ち、外側部材２２o、２４oの樹脂材料の選択に制限がないため、携帯型撮像装置１０の外色を自由に選択できる。更に、内側部材２２i、２４iが外側部材２２o、２４oのほぼ全内面に設けられているため、光学絞り３４、結像レンズ３０及び受光素子３６を確実に遮光することができる。
【００２０】
また、第１実施形態のバーコード読取装置１０では、内側部材２２i、２４iと共に光学絞り３４を一体成型するため、光学絞りを別途設ける必要が無くなり、構造を簡略化できると共に、部品数が少なくなり、光学絞り３４を組み付けるための時間や労力を削減させることができる。
【００２１】
[第２実施形態]
図２を参照して本発明の第２実施形態に係るバーコード読取装置を説明する。図２は第２実施形態に係るバーコード読取装置の断面図である。
図１を参照して上述した第１実施形態では、内側部材２２i、２４iが外側部材２２o、２４oのほぼ全内面に設けられていた。これに対して、第２実施形態では、内側部材２２iが上ケース２２の外側部材２２oの一部内面に設けられ、回路基板３８と共に光学的センサ３６及び結像光学系（第１反射鏡３２ｆ、光学絞り３４、結像レンズ３０、第２反射鏡３２ｓ）を遮光する。ここで、基板３８はガラスエポキシ積層基板であって、表面に塗布されたソルダーレジストにより遮光性を備える。この第２実施形態でも、内側部材２２iと一体に光学絞り３４が成形されている。
【００２２】
図２で示した第２実施形態では、基板３８上面に光学的センサ３６及び結像光学系（第１反射鏡３２ｆ、光学絞り３４、結像レンズ３０、第２反射鏡３２ｓ）が配置されているため、上ケース２２側に遮光性内側部材２２iが設けられた。ここで、基板下面側に光学的センサ及び結像光学系が配置される場合には、下ケース２４側に遮光性内側部材２４iを設ける。
【００２３】
第２実施形態のバーコード読取装置１０では、内側部材２２iが外側部材２２oの一部内面にのみ設けられるため、内部部材の製造コストを低減することができる。
【００２４】
[第３実施形態]
図３及び図４を参照して本発明の第３実施形態に係るバーコード読取装置を説明する。図３は第３実施形態に係るバーコード読取装置の断面図であり、図４は斜視図である。
図１、図２を参照して上述した第１、第２実施形態では、内側部材が外側部材の内面のみに設けられていた。これに対して、第２実施形態では、内側部材２２iの一部を、筐体ケース２０の表面から露出させてある。即ち、図４に示すようにアイボリー色の外側部材２２oに開口２２ｂを設け、該開口２２ｂから黒色の内側部材２２iを露出させ、デザイン上でのアクセントとしている。
【００２５】
第３実施形態のバーコード読取装置１０では、内側部材２２iの一部を筐体ケース２０の表面に露出させることで、外色を２色にできるため、廉価にデザイン性の高い筐体ケース２０を実現できる。なお、外側部材２２と内側部材２２iの露出部とは、段差が無いようにフラットに形成することも、意匠性を更に高めるために段差を持たせることも可能である。また、第３実施形態は、第２実施形態の様に、内側部材２２iが上ケース２２の外側部材２２oの一部内面にのみ設けられる際にも適用可能である。
【００２６】
上述した実施形態では、内側部材２２i、２４iとして黒色の樹脂を用いる例を挙げたが、内側部材２２i、２４iは遮光性を備えれば、どのような色の材質の樹脂であっても可能である。また、外側部材２２o、２４oとして、アイボリー色の樹脂を用いる例を挙げたが、外側部材２２o、２４oとしてはどのような樹脂でも良く、例えば、透明等の遮光性をほとんど備えない材質から、内側部材２２i、２４iよりも高い遮光性を備える材質まで使用可能である。
【産業上の利用可能性】
【００２７】
上述した実施形態では、本発明の構成をバーコード読取装置に適用した例について説明したが、本発明はバーコード読取装置に限定されず、例えば、筐体が樹脂で形成され、絞りが固定されたデジタルカメラ付き携帯電話等の携帯型撮像装置にも適用可能である。
【図面の簡単な説明】
【００２８】
【図１】本発明の第１実施形態に係るバーコード読取装置の断面図である。
【図２】第２実施形態に係るバーコード読取装置の断面図である。
【図３】第３実施形態に係るバーコード読取装置の断面図である。
【図４】第３実施形態に係るバーコード読取装置の斜視図である。
【符号の説明】
【００２９】
１０  バーコード読取装置
２０  ケース
２２  上ケース
２２ｉ  内側部材
２２ｏ  外側部材
２４  下ケース
２２ｉ  内側部材
２２ｏ  外側部材
２６  照射用赤色発光ダイオード
３８  基板
４２  マイクロコンピュータ
８０  バーコード
【図１】
2007109046.tif 000003
【図２】
2007109046.tif 000004
【図３】
2007109046.tif 000005
【図４】
2007109046.tif 000006